(57)【要約】      （修正有）【課題】組み立て分解が容易であり且つ廃棄もし易い折り畳み式陳列棚を提供する。【解決手段】折り畳み式陳列棚１００が、後板と、後板の左右端から前方に延び前後方向中間部に直線状の折曲容易部２２１，２３１を有する左右の側板２２０，２３０と、左右の側板２２０，２３０の前端同士を連結する前板２４０とを有する枠体２００と、左右の側板２２０，２３０の内面間に水平方向に延在し、ハの字状の折曲容易部４３１を有する棚支持板４３０と、後板の前面に上方に傾倒可能に取り付けられ、棚支持板４３０上に載置され水平方向に延在する棚横板４１０とを有する棚板体４００とを備える。折り畳み式陳列棚１００は、棚横板４１０を上方に傾倒させ、左右の側板２２０，２３０を折曲容易部２２１，２３１で左右外方から見て谷折りし、この谷折りに伴って棚支持板４３０をハの字状に折り曲げることによって全体が平板状に折り畳み可能である。【選択図】図３
0003195203.tif 000002
【実用新案登録請求の範囲】
【請求項１】
上下方向に延在する後板（２１０）と、該後板の左右端から前方に延び上下方向に延在すると共に前後方向中間部に上下方向に延びる直線状の折曲容易部（２２１，２３１）を有する左右の側板（２２０，２３０）と、該左右の側板の前端同士を連結する上下方向に延在する前板（２４０）とを有する枠体（２００）と、
左右の両端がそれぞれ前記左右の側板に連結されて該左右の側板の内面間に水平方向に延在し、ハの字状の折曲容易部（４３１）を有する棚支持板（４３０）と、前記後板の前面に上方に傾倒可能に取り付けられた、前記棚支持板上に載置され水平方向に延在する棚横板（４１０）とを有する棚板体（４００）とを備え、
前記棚横板を上方に傾倒させ、前記左右の側板を前記折曲容易部で左右外方から見て谷折りし、この谷折りに伴って前記棚支持板を前記ハの字状に折り曲げることによって全体が平板状に折り畳み可能であることを特徴とする折り畳み式陳列棚。
【請求項２】
前記棚板体が、該棚横板の前端に後方に傾倒可能に取り付けられた上下方向に延在する棚縦板（４２０）を有することを特徴とする請求項１に記載の折り畳み式陳列棚。
【請求項３】
前記棚縦板が、該棚縦板の下端部に、該棚縦板が上下方向に延在した際に前記棚横板の前端と当接することで前記棚縦板が前方に傾倒することを防止する前方傾倒防止部（４２２）を有することを特徴とする請求項２に記載の折り畳み式陳列棚。
【請求項４】
前記棚縦板が、該棚縦板の左右端から後方に延び、前記棚縦板が上下方向に延在した際に前記棚支持板の上面と当接することで前記棚縦板が後方に傾倒するのを防止できる後方傾倒防止片（４２１）を有することを特徴とする請求項２または３に記載の折り畳み式陳列棚。
【請求項５】
前記棚板体を上下方向に所定間隔を空けて複数備えたことを特徴とする請求項１〜４のいずれか１項に記載の折り畳み式陳列棚。
【請求項６】
前記左右の側板の前記折曲容易部より前方の前記棚支持板の前記折曲容易部が前方外方から見て正ハの字状であり、前記左右の側板の前記折曲容易部より後方の前記棚支持板の前記折曲容易部が前方外方から見て逆ハの字状であることを特徴とする請求項１〜５のいずれか１項に記載の折り畳み式陳列棚。
【請求項７】
前記枠体および前記棚板体が、段ボールまたは厚紙からなるシート材であることを特徴とする請求項１〜６のいずれか１項に記載の折り畳み式陳列棚。
【請求項８】
前記後板が該後板の上端に差込口（２１１）を有し
該差込口に差込可能な差込片（３０１）を有するパネル体（３００）を備えることを特徴とする請求項１〜７のいずれか１項に記載の折り畳み式陳列棚。
【請求項９】
前記パネル体が、段ボールまたは厚紙からなるシート材であることを特徴とする請求項８に記載の折り畳み式陳列棚。
【考案の詳細な説明】
【技術分野】
【０００１】
本考案は折り畳み式の陳列棚に関する。
【背景技術】
【０００２】
従来、店頭や展示会場においては、たとえば新商品等の販促品を展示するため、陳列棚が利用されている。そして、この陳列棚には、機能面において、陳列する商品の荷重に耐えられるだけの剛性が要求されるだけではなく、組み立てや分解等の作業面や保管面での利便性も要求される。
【０００３】
文献１には、紙材からなる背面壁部、一対の側面壁部、棚板および合成樹脂からなる棚板支持部を備え、ファスナにより棚板支持部を一対の側面壁部に固定して棚を形成する技術が提案されている。また、文献２には、支持側板に段ボールシートからなる折り畳み自在な棚支持部材を複数積み重ね、支持側板にピンで固定して棚を形成する技術が提案されている。
【先行技術文献】
【特許文献】
【０００４】
【特許文献１】実用新案登録第３１８５７１６号
【特許文献２】実用新案登録第３１８９３６２号
【考案の概要】
【考案が解決しようとする課題】
【０００５】
しかしながら、文献１および２に提案されている技術では、組み立てる際、ファスナまたはピンで棚板を固定するための工具を用意する可能性がある。また、ファスナまたはピンにより固定された棚板は必ずしも分解が容易であるとは言えない。さらに、陳列棚が不要になった場合、ファスナやピン等の固定部品は必ずしも廃棄が容易であるとは言えない。
【０００６】
本考案は、上記事情に鑑み、組み立て分解が容易であり且つ廃棄もし易い折り畳み式陳列棚を提供することを目的とする。
【課題を解決するための手段】
【０００７】
上記課題を解決するために、本考案の折り畳み式陳列棚は、上下方向に延在する後板と、後板の左右端から前方に延び上下方向に延在すると共に前後方向中間部に上下方向に延びる直線状の折曲容易部を有する左右の側板と、左右の側板の前端同士を連結する上下方向に延在する前板とを有する枠体と、左右の両端がそれぞれ左右の側板に連結されて左右の側板の内面間に水平方向に延在し、ハの字状の折曲容易部を有する棚支持板と、後板の前面に上方に傾倒可能に取り付けられた、棚支持板上に載置され水平方向に延在する棚横板とを有する棚板体とを備え、棚横板を上方に傾倒させ、左右の側板を折曲容易部で左右外方から見て谷折りし、この谷折りに伴って棚支持板をハの字状に折り曲げることによって全体が平板状に折り畳み可能であることを特徴とする。
【０００８】
また、本考案の折り畳み式陳列棚において、棚板体は、棚横板の前端に後方に傾倒可能に取り付けられた上下方向に延在する棚縦板を有してもよい。
【０００９】
また、本考案の折り畳み式陳列棚において、棚縦板は、棚縦板の下端部に、棚縦板が上下方向に延在した際に棚横板の前端と当接することで棚縦板が前方に傾倒することを防止する前方傾倒防止部を有してもよい。
【００１０】
また、本考案の折り畳み式陳列棚において、棚縦板が、棚縦板の左右端から後方に延び、棚縦板が上下方向に延在した際に棚支持板の上面と当接することで棚縦板が後方に傾倒することを防止できる後方傾倒防止片を有してもよい。
【００１１】
また、本考案の折り畳み式陳列棚は、棚板体を上下方向に所定間隔を空けて複数備えてもよい。
【００１２】
また、本考案の折り畳み式陳列棚において、左右の側板の折曲容易部より前方の棚支持板の折曲容易部が前方外方から見て正ハの字状であり、左右の側板の折曲容易部より後方の棚支持板の折曲容易部が前方外方から見て逆ハの字状であってもよい。
【００１３】
また、枠体および棚板体は段ボールまたは厚紙からなるシート材であることが望ましい。
【００１４】
また、本考案の折り畳み式陳列棚において、後板が後板の上端に差込口を有し、差込口に差込可能な差込片を有するパネル体を備えてもよい。
【００１５】
また、パネル体は、段ボールまたは厚紙からなるシート材であることが望ましい。
【考案の効果】
【００１６】
本考案の折り畳み式陳列棚によれば、棚横板を上方に傾倒させ、左右の側板を折曲容易部で左右外方から見て谷折りし、この谷折りに伴って棚支持板をハの字状に折り曲げることによって全体を平板状に折り畳み可能であるため、工具を必要とせず、容易に組み立ておよび分解ができ、ファスナやピン等の固定部品も必要としないため、不要になった場合の廃棄も容易である。
【００１７】
また、本考案の折り畳み式陳列棚によれば、棚板体が棚横板の前端に後方に傾倒可能に取り付けられた上下方向に延在する棚縦板を有するため、棚横板に陳列された商品の落下を防止できると共に、組み立て、分解および廃棄も容易である。
【図面の簡単な説明】
【００１８】
【図１】折り畳み式陳列棚の全体を示す斜視図
【図２】パネル体の着脱する態様を示す斜視図
【図３】棚横板を上方へ傾倒させる態様を示す斜視図
【図４】棚縦板を後方へ傾倒させる態様を示す斜視図
【図５】棚縦板の前方および後方への傾倒を防止する態様を示す図
【図６】左右の側板を折曲容易部で谷折りする態様を示す斜視図
【図７】折り畳んだ状態の折り畳み式陳列棚を示す斜視図
【図８】折り畳み式陳列棚の折り畳みおよび組み立ての態様を示す図
【考案を実施するための形態】
【００１９】
本考案に係る折り畳み式陳列棚の一実施形態について、図面を参照して詳細に説明する。また、以下の説明においては、図中のＸ軸方向を左右方向、Ｙ軸方向を前後方向、Ｚ軸方向を上下方向として説明する。また、Ｘ軸方向の長さを幅、Ｙ軸方向の長さを奥行、Ｚ軸方向の長さを高さとして説明する。
【００２０】
図１は本考案の一実施形態である折り畳み式陳列棚１００の全体を示す斜視図である。折り畳み式陳列棚１００は、枠体２００と、枠体２００の上方に着脱自在に設けられたパネル体３００と、枠体２００の内側に設けられた棚板体４００とから構成されている。
【００２１】
枠体２００、パネル体３００および棚板体４００は、段ボールや厚紙等のシート材から形成されている。なお、枠体２００、パネル体３００および棚板体４００の材質は、廃棄が容易なシート材であれば特に限定されるものではない。
【００２２】
最初に枠体２００について説明する。枠体２００は、図１に示すように、後板２１０と、後板２１０の左端から前方に延びる左側板２２０と、後板２１０の右端から前方に延び上下方向に延在する右側板２３０と、左側板２２０および右側板２３０の前端の下部同士を連結する前板２４０とから構成されている。
【００２３】
後板２１０、左側板２２０、右側板２３０および前板２４０は、図１に示すように、上下方向にそれぞれ延在している。また、左側板２２０および右側板２３０は、その前後方向の中間部に上下方向に直線状に延在する折曲容易部２２１，２３１をそれぞれ有している。
【００２４】
次にパネル体３００について説明する。図２はパネル体３００を着脱する態様を示す斜視図である。後板２１０は、その上端に２つの差込口２１１を有している。パネル体３００は、後板２１０と略同一の幅を有する矩形状であり、その下端に２つの差込片３０１を有している。
【００２５】
差込口２１１のピッチと差込片３０１のピッチは等しくなっている。そして、パネル体３００は、図２に示すように、パネル体３００の下端が後板２１０の上端に当接するまで差込片３０１を差込口２１１に差し込むことで、後板２１０の上方に取り付けられる。
【００２６】
また、パネル体３００は、差込口２１１から差込片３０１を引き抜くことで、後板２１０から取り外すことができる。このように、パネル体３００は、着脱自在であり、陳列される商品等の広告および宣伝が容易に行える。
【００２７】
次に棚板体４００について説明する。棚板体４００は、後板２１０の前面から前方に延びる棚横板４１０を有している。棚横板４１０は後板２１０と略同一の幅を有する矩形状である。本実施形態において、棚板体４００は、上下方向に所定間隔を空けて配置された３つの棚横板４１０を有している。なお、棚横板４１０の数や間隔寸法は特に限定されるものではない。
【００２８】
また、棚板体４００は、棚横板４１０の前端に連結され上下方向に延びる棚縦板４２０を有している。棚縦板４２０は、棚横板４１０と略同一の幅を有する矩形状である。棚縦板４２０は、棚横板４１０に陳列された商品が落下することを防止するものである。
【００２９】
本実施形態において、棚縦板４２０は、上段および中段の棚横板４１０に連結されており、下段の棚横板４１０については、前板２４０の上部が棚横板４１０に陳列された商品が前方に落下することを防止する。なお、棚縦板４２０をいずれの段の棚横板４１０と連結させるかは特に限定されるものではない。
【００３０】
引き続き棚板体４００について説明する。図３は棚横板４１０を上方に傾倒させる態様を示す斜視図である。棚横板４１０は、図３に示すように、上方に傾倒して上下方向に延在可能となるように後板２１０に連結されている。
【００３１】
また、棚板体４００は、左側板２２０の内面と右側板２３０の内面との間を連結し水平方向に延在する棚支持板４３０を有している。そして、棚支持板４３０には、ハの字状の折曲容易部４３１が形成されている。
【００３２】
また、棚支持板４３０は、折曲容易部２２１，２３１より後方で水平方向に延在するものと折曲容易部２２１，２３１より前方で水平方向に延在するものとがある。本実施形態において、上段の棚支持板４３０は折曲容易部２２１，２３１より後方で水平方向に延在し、中段および下段の棚支持板４３０は折曲容易部２２１，２３１より前方および後方の両方で水平方向に延在する。
【００３３】
棚支持板４３０は各段に少なくとも１つ存在すればよく、棚支持板４３０が折曲容易部２２１，２３１より前方に存在するか、後方に存在するか、もしくは両方に存在するかは特に限定されるものではない。また、前方外方から見て、折曲容易部２２１，２３１より後方の折曲容易部４３１は逆ハの字状であり、折曲容易部２２１，２３１より前方の折曲容易部４３１は正ハの字状である。
【００３４】
図４は棚縦板４２０を後方に傾倒させる態様を示す図である。棚縦板４２０は、図４に示すように、後方へ傾倒可能となるように棚横板４１０の前端に連結されている。折り畳み式陳列棚１００を折り畳む際には、棚横板４１０を上方に傾倒させると共に、棚縦板４２０も後方へ傾倒させて棚横板４１０および棚縦板４２０を上下方向に延在させる。
【００３５】
また、棚縦板４２０は、左右の両端から後方に延びる後方傾倒防止片４２１を有している。後方傾倒防止片４２１は、棚縦板４２０に対して角度可変となるように連結している。
【００３６】
また、後方傾倒防止片４２１は、図４に示すように、四半円形である。そして、棚縦板４２０を後方へ傾倒させる際には、左の後方傾倒防止片４２１を左側板２２０と棚横板４１０の左端との隙間に、右の後方傾倒防止片４２１を右側板２３０と棚横板４１０の右端との隙間にそれぞれ挿通させる。
【００３７】
また、棚縦板４２０が上下方向に延在している場合（図１または図２参照）、左右の後方傾倒防止片４２１は、その下端の少なくとも一部が棚支持板４３０上に載置される。
【００３８】
図５は棚縦板４２０の前方および傾倒への防止の態様を示す図である。棚縦板４２０は、棚縦板４２０の下端部が棚横板４１０より下方に突出するように棚横板４１０の前端に連結されている。棚横板４１０より下方に突出した部分が前方傾倒防止部４２２となる。
【００３９】
そして、図５の状態より棚縦板４２０をさらに前方に傾倒させようとすると、図中の領域Ａに示すように、前方傾倒防止部４２２が棚横板４１０の前端に当接することで、棚縦板４２０が図５の状態より前方へ傾倒することが防止される。
【００４０】
また、図５の状態より棚縦板４２０を再び後方に傾倒させようとすると、後方傾倒防止片４２１の下端が棚支持板４３０の上面に当接することで、棚縦板４２０が再び後方へ傾倒することが防止される。
【００４１】
図６は左側板２２０を折曲容易部２２１で右側板２３０を折曲容易部２３１でそれぞれ谷折りする態様を示す図である。折り畳み式陳列棚１００を折り畳む際には、棚横板４１０および棚縦板４２０を上下方向に延在させる。また、後方傾倒防止片４２１は、図６に示すように、棚横板４１０と面する程度まで内側へ傾倒させる。
【００４２】
左方向外方から見て左側板２２０を折曲容易部２２１で谷折りすると共に、右方向外方から見て右側板２３０を折曲容易部２３１で谷折りすると、棚支持板４３０も折曲容易部４３１で折り曲る。これにより、棚支持板４３０が前方外方から見てハの字状に折り曲って上下方向に延在する。
【００４３】
図７は折り畳み式陳列棚１００を折り畳んだ状態を示す図である。左側板２２０が、折曲容易部２２１より後方の外面２２２（図１参照）と前方の外面２２３（図１参照）とが面する程度に谷折りされると共に、右側板２３０が、折曲容易部２３１より後方の外面２３２（図１参照）と前方の外面２３３（図１参照）とが面する程度に谷折りされることで折り畳み式陳列棚１００は、図７に示すように、全体が略平板となるように折り畳まれる。
【００４４】
図８は折り畳み式陳列棚１００の折り畳みから組み立てまでの各状態を示す図である。完成状態にある折り畳み式陳列棚１００（図中Ｓ６参照）からパネル体３００を取り外す（図中Ｓ４およびＳ５参照）。
【００４５】
そして、棚横板４１０を上方に傾倒し（図中Ｓ３参照）、棚横板４１０および棚縦板４２０を上下方向に延在させる。そして、左側板２２０を折曲容易部２２１で右側板２３０を折曲容易部２３１でそれぞれ谷折りして棚支持板４３０をハの字状に折り曲げ（図中Ｓ２参照）、全体を平板状に折り畳む（図中Ｓ１参照）。なお、パネル体３００の取り外しは、上記いずれの段階でも可能である。
【００４６】
折り畳み式陳列棚１００は、上記手順を逆に行うことにより、組み立てが可能であり、その詳細な説明は省略する。なお、組み立てにおいても、パネル体３００の取り付けは、いずれの段階でも可能である。
【００４７】
以上に説明した通り、本実施形態の折り畳み式陳列棚１００によれば、棚横板４１０を上方に棚縦板４２０を後方にそれぞれ傾倒させ、左側板２２０を折曲容易部２２１で右側板２３０を折曲容易部２３１でそれぞれ谷折りし、棚支持板４３０をハの字状に折り曲げることによって全体が平板状に折り畳み可能であるため、組み立ておよび分解が容易であり、固定部材が不要なため廃棄も容易である。
【００４８】
また、本実施形態の折り畳み式陳列棚１００によれば、棚横板４１０の前端に後方に傾倒可能に取り付けられた棚縦板４２０を有するため、陳列された商品の落下を防止すると共に、組み立て、分解および廃棄が容易である。
【００４９】
また、本実施形態の折り畳み式陳列棚１００によれば、枠体２００、パネル体３００、および棚板体４００がシート材であるため、不要になった場合の廃棄もさらに容易である。
【符号の説明】
【００５０】
１００  折り畳み式陳列棚
２００  枠体
２１０  後板
２１１  差込口
２２０  左側板
２２１  折曲容易部
２３０  右側板
２３１  折曲容易部
２４０  前板
３００  パネル体
３０１  差込片
４００  棚板体
４１０  棚横板
４２０  棚縦板
４２１  後方傾倒防止片
４２２  前方傾倒防止部
４３０  棚支持板
４３１  折曲容易部
【図１】
0003195203.tif 000003
【図２】
0003195203.tif 000004
【図３】
0003195203.tif 000005
【図４】
0003195203.tif 000006
【図５】
0003195203.tif 000007
【図６】
0003195203.tif 000008
【図７】
0003195203.tif 000009
【図８】
0003195203.tif 000010